(57)【要約】【課題】昇降路の縮小化を図ることができるエレベータ装置を得る。【解決手段】昇降路１内には、かご４が案内されるかごガイドレール２と、釣合おもり５が案内される釣合おもりガイドレール３とが設置されている。かご４及び釣合おもり５は、第１及び第２主ロープ１３，１４を有する主ロープ体１５により昇降路１内に吊り下げられている。また、かご４及び釣合おもり５は、巻上機１０の駆動力により昇降路１内を昇降される。釣合おもり５は、昇降路１の垂直投影面内において、釣合おもりガイドレール３とかご４との間に配置されている。また、釣合おもり５には、釣合おもりガイドレール３が挿入されるレール溝１８が設けられている。【選択図】図２
2006151625.tif 000002
【特許請求の範囲】
【請求項１】
昇降路内を昇降可能なかご及び釣合おもり、
上記かご及び上記釣合おもりを昇降させるための駆動力を発生する駆動装置、及び
上記昇降路内に設けられ、上記釣合おもりを案内するための釣合おもりガイドレール
を備え、
上記釣合おもりは、上記昇降路の垂直投影面内において、上記釣合おもりガイドレールと上記かごとの間に配置されており、
上記釣合おもりには、上記釣合おもりガイドレールが挿入されるレール溝が設けられていることを特徴とするエレベータ装置。
【請求項２】
上記釣合おもりガイドレールは、上下方向へ延びるレール基部と、上記昇降路の垂直投影面内において、上記レール溝の深さ方向に対して垂直な方向へ上記レール基部から互いに離れるように延びる一対の係合部とを有しており、
上記レール溝内には、上記一対の係合部に係合されながら摺動可能なガイドシューが設けられていることを特徴とする請求項１に記載のエレベータ装置。
【請求項３】
上記かごには、上記昇降路の垂直投影面内において互いに間隔を置いて配置された第１ロープ接続部及び第２ロープ接続部が設けられており、
上記第１ロープ接続部に一端部が接続され上記釣合おもりに他端部が接続された第１主ロープと、上記第２ロープ接続部に一端部が接続され上記釣合おもりに他端部が接続された第２主ロープとを有し、上記かご及び上記釣合おもりを上記昇降路内で吊り下げる主ロープ体をさらに備えていることを特徴とする請求項１又は請求項２に記載のエレベータ装置。
【請求項４】
上記駆動装置は、駆動装置本体と、上記駆動装置本体により回転される駆動シーブとを有し、
上記昇降路内には、上記第１主ロープが巻き掛けられた第１シーブと、上記第２主ロープが巻き掛けられた第２シーブとが設けられており、
上記第１シーブ及び上記第２シーブの少なくともいずれか一方は、上記駆動シーブとされていることを特徴とする請求項３に記載のエレベータ装置。
【発明の詳細な説明】
【技術分野】
【０００１】
この発明は、主ロープにより吊り下げられたかご及び釣合おもりが駆動装置の駆動力により昇降路内を昇降されるエレベータ装置に関するものである。
【背景技術】
【０００２】
従来のエレベータ装置では、釣合おもりの昇降を案内するために、一対の釣合おもりガイドレールが昇降路内に設置されることがある。釣合おもりは、各釣合おもりガイドレール間を昇降されるようになっている（特許文献１参照）。
【０００３】
【特許文献１】国際公開第０２／１２２４８６号パンフレット
【発明の開示】
【発明が解決しようとする課題】
【０００４】
しかし、昇降路内に例えば巻上機等の機器が設置されている場合には、これらの機器との干渉を避けるために、各釣合おもりガイドレール間の間隔が小さくなってしまうことがある。このような場合、釣合おもりの重量を確保するために、釣合おもりの厚さ方向の寸法、あるいは釣合おもりの高さ方向の寸法を拡大しなければならない。従って、昇降路の縮小化の妨げになる。
【０００５】
この発明は、上記のような問題点を解決することを課題としてなされたものであり、昇降路の縮小化を図ることができるエレベータ装置を得ることを目的とする。
【課題を解決するための手段】
【０００６】
この発明に係るエレベータ装置は、昇降路内を昇降可能なかご及び釣合おもり、かご及び釣合おもりを昇降させるための駆動力を発生する駆動装置、及び昇降路内に設けられ、釣合おもりを案内するための釣合おもりガイドレールを備え、釣合おもりは、昇降路の垂直投影面内において、釣合おもりガイドレールとかごとの間に配置されており、釣合おもりには、釣合おもりガイドレールが挿入されるレール溝が設けられている。
【発明の効果】
【０００７】
この発明に係るエレベータ装置では、昇降路の垂直投影面内において、釣合おもりが釣合おもりガイドレールとかごとの間に配置されており、釣合おもりには、釣合おもりガイドレールが挿入されるレール溝が設けられているので、釣合おもりの幅方向についての寸法が釣合おもりガイドレールにより制約されることがなくなり、釣合おもりの幅方向についての寸法を大きくすることができる。これにより、釣合おもりの厚さ方向及び高さ方向のそれぞれについての寸法を小さくすることができる。また、釣合おもりガイドレールがレール溝に挿入されていることにより、釣合おもりガイドレールは、釣合おもりの厚さ方向について、釣合おもりに対して突出される部分を小さくすることができる。従って、昇降路の水平断面積及び昇降路の高さ寸法を小さくすることができ、昇降路の縮小化を図ることができる。
【発明を実施するための最良の形態】
【０００８】
実施の形態１．
図１は、この発明の実施の形態１によるエレベータ装置を示す側面図である。また、図２は、図１のエレベータ装置を示す平面図である。図において、昇降路１内には、上下方向へ延びる一対のかごガイドレール２と、上下方向へ延びる一対の釣合おもりガイドレール３とが設置されている。かご４は、各かごガイドレール２に案内されながら昇降路１内を昇降される。また、釣合おもり５は、各釣合おもりガイドレール３に案内されながら昇降路１内を昇降される。
【０００９】
なお、昇降路１の垂直投影面内において、各かごガイドレール２を結ぶ直線は、各釣合おもりガイドレールを結ぶ直線と平行になっている。また、昇降路１の垂直投影面内において、釣合おもり５は、かご４の奥行き方向について、かご４と並べて配置されている。
【００１０】
各かごガイドレール２の上部と各釣合おもりガイドレール３の上端部との間には、水平に延びる一対の支持部材６が固定されている（図１）。一方の支持部材６には、互いに間隔を置いて配置された第１かご側シーブ７と第１釣合おもり側シーブ（第１シーブ）８とが支持されている。また、他方の支持部材６には、第２かご側シーブ９と、かご４及び釣合おもり５を昇降させるための駆動力を発生する巻上機（駆動装置）１０とが支持されている（図２）。
【００１１】
巻上機１０は、駆動装置本体１１と、駆動装置本体１１により回転される駆動シーブとしての第２釣合おもり側シーブ（第２シーブ）１２とを有している。第２かご側シーブ９及び第２釣合おもり側シーブ１２は、互いに間隔を置いて配置されている。また、第１かご側シーブ７、第１釣合おもり側シーブ８、第２かご側シーブ９、巻上機１０及び一対の支持部材６は、昇降路１の垂直投影面内において、かご４の領域外に配置されている。
【００１２】
第１かご側シーブ７及び第１釣合おもり側シーブ８には、複数本の第１主ロープ１３が巻き掛けられている。また、第２かご側シーブ９及び第２釣合おもり側シーブ１２には、複数本の第２主ロープ１４が巻き掛けられている。主ロープ体１５は、各第１主ロープ１３及び各第２主ロープ１４を有している。かご４及び釣合おもり５は、主ロープ体１５により昇降路１内に吊り下げられている。
【００１３】
かご４は、各かごガイドレール２間に配置されている。また、かご４は、かご出入口（図示せず）が設けられたかご正面部４ａと、かご正面部４ａに対向するかご背面部４ｂと、かご正面部４ａ及びかご背面部４ｂのそれぞれの側端部間を結ぶ一対のかご側面部４ｃ，４ｄとを有している。各かご側面部４ｃは、各かごガイドレール２間に配置されている。
【００１４】
一方のかご側面部４ｃには、第１ロープ接続部である第１綱止め装置１６が設けられている。他方のかご側面部４ｄには、第２ロープ接続部である第２綱止め装置１７が設けられている。即ち、第１及び第２綱止め装置１６，１７は、昇降路１の垂直投影面内において、かご４を挟むように互いに間隔を置いて配置されている。昇降路１の垂直投影面内において、第１綱止め装置１６及び第２綱止め装置１７を結ぶ直線は、かご４の重心を通るようになっている（図２）。また、釣合おもり５の上端部には、釣合おもり５の幅方向へ互いに間隔を置いて配置された接続点が設けられている。
【００１５】
各第１主ロープ１３の一端部は第１綱止め装置１６に接続され、各第１主ロープ１３の他端部は釣合おもり５の一方の接続点に接続されている。また、各第２主ロープ１４の一端部は第２綱止め装置１７に接続され、各第２主ロープ１４の他端部は釣合おもり５の他方の接続点に接続されている。
【００１６】
釣合おもり５は、昇降路１の垂直投影面内において、各釣合おもりガイドレール３とかご４との間に配置されている。また、釣合おもり５には、各釣合おもりガイドレール３がそれぞれ挿入される一対のレール溝１８が設けられている。即ち、各レール溝１８は、各釣合おもりガイドレール３をかご４側へ近づけるために、釣合おもり５のかご４と反対側の部分に設けられている。また、各レール溝１８は、釣合おもり５の幅方向へ互いに間隔を置いて配置されている。昇降路１の垂直投影面内において、各レール溝１８には、各釣合おもりガイドレール３の一部が挿入されている。
【００１７】
各釣合おもりガイドレール３は、上下方向へ延びるレール基部１９と、レール基部１９から釣合おもり５の幅方向へ延びる一対の係合部２０，２１とを有している。各レール基部１９は、昇降路１の内壁面に固定されている。各係合部２０，２１は、昇降路１の垂直投影面内において、レール溝１８の深さ方向に対して垂直な方向（この例では、釣合おもり５の幅方向）へレール基部１９から互いに離れるように延びている。この例では、各釣合おもりガイドレール３は、水平断面形状が略π形のπ形レールとされている。
【００１８】
各レール溝１８内には、各係合部２０，２１に係合されながら摺動可能なガイドシュー２２が設けられている。釣合おもり５は、各ガイドシュー２２の各係合部２０，２１に対する摺動により、各釣合おもりガイドレール３に案内される。
【００１９】
次に、動作について説明する。駆動装置本体１１が駆動されると、第２釣合おもり側シーブ１２が回転される。これにより、第２主ロープ１４が移動され、かご４及び釣合おもり５が昇降路１内を昇降される。このとき、かご４は各かごガイドレール２に案内され、釣合おもり５は各釣合おもりガイドレール３に案内される。また、かご４及び釣合おもり５の昇降により、第１主ロープ１３も移動される。
【００２０】
このようなエレベータ装置では、昇降路１の垂直投影面内において、釣合おもり５が各釣合おもりガイドレール３とかご４との間に配置されており、釣合おもり５には、各釣合おもりガイドレール３が挿入されるレール溝１８が設けられているので、釣合おもり５の幅方向についての寸法が釣合おもりガイドレール３により制約されることがなくなり、釣合おもり５の幅方向についての寸法を大きくすることができる。これにより、釣合おもり５の厚さ方向及び高さ方向のそれぞれについての寸法を小さくすることができる。また、各釣合おもりガイドレール３がレール溝１８に挿入されていることにより、各釣合おもりガイドレール３は、釣合おもり５の厚さ方向について、釣合おもり５に対して突出される部分を小さくすることができる。従って、昇降路１の水平断面積及び昇降路１の高さ寸法を小さくすることができ、昇降路１の縮小化を図ることができる。
【００２１】
また、各釣合おもりガイドレール３は、レール基部１９と、昇降路１の垂直投影面内において、レール溝１８の深さ方向に対して垂直な方向へレール基部１９から互いに離れるように延びる一対の係合部２０，２１とを有し、レール溝１８内には、各係合部２０，２１に係合されながら摺動可能なガイドシュー２２が設けられているので、釣合おもり５を各釣合おもりガイドレール３により安定して案内することができる。
【００２２】
また、かご４には、昇降路１の垂直投影面内において互いに間隔を置いて配置された第１綱止め装置１６及び第２綱止め装置１７が設けられ、かご４及び釣合おもり５は、第１綱止め装置１６に一端部が接続され釣合おもり５の上端部に他端部が接続された第１主ロープ１３と、第２綱止め装置１７に一端部が接続され釣合おもり５の上端部に他端部が接続された第２主ロープ１４とを有する主ロープ体１５により、昇降路１内に吊り下げられているので、かご４を昇降路１内に安定して吊り下げることができる。
【００２３】
また、巻上機１０は、駆動装置本体１１と、駆動装置本体１１により回転される駆動シーブとしての第２釣合おもり側シーブ１２とを有しており、第２釣合おもり側シーブ１２には、第２主ロープ１４が巻き掛けられているので、かご４及び釣合おもり５を昇降路１内で昇降させることができる。
【００２４】
実施の形態２．
なお、上記の例では、各釣合おもりガイドレール３は、π形レールとされているが、通常用いられるＴ形レールを各釣合おもりガイドレールとしてもよい。即ち、図３は、この発明の実施の形態２によるエレベータ装置を示す平面図である。図において、各レール溝１８内には、一対の釣合おもりガイドレール３１が挿入されている。各釣合おもりガイドレール３１は、レール基部３２と、レール基部３２から釣合おもり５の幅方向へ延びる係合部３３とを有している。即ち、各釣合おもりガイドレール３１は、平面断面形状が略Ｔ形となるようにレール基部３２及び係合部３３により構成されたＴ形レールとされている。また、各釣合おもりガイドレール３１は、各レール基部３２間に各係合部３３が配置されるように昇降路１内に配置されている。
【００２５】
各レール溝１８内には、係合部３３に係合されながら摺動可能なガイドシュー３４が設けられている。釣合おもり５は、各ガイドシュー３４の係合部３３に対する摺動により、各釣合おもりガイドレール３１に案内される。他の構成は実施の形態１と同様である。
【００２６】
このように、各釣合おもりガイドレール３１がＴ形レールであっても、釣合おもり５の幅方向についての寸法を大きくすることができ、昇降路１の縮小化を図ることができる。
【００２７】
実施の形態３．
図４は、この発明の実施の形態３によるエレベータ装置を示す平面図である。図において、昇降路１内には、上下方向へ延びる１本の釣合おもりガイドレール４１が設置されている。釣合おもり５には、釣合おもりガイドレール４１が挿入されるレール溝４２が設けられている。レール溝４２は、釣合おもり５の幅方向についての中央部分を通るように上下方向へ延びている。
【００２８】
釣合おもりガイドレール４１は、実施の形態１における釣合おもりガイドレール３と同様の構成とされたπ形レールである。また、レール溝４２内には、実施の形態１と同様の構成のガイドシュー２２が設けられている。他の構成は実施の形態１と同様である。
【００２９】
このように、釣合おもりガイドレール４１をπ形レールとして、１本の釣合おもりガイドレール４１により釣合おもり５を案内させるようにしたので、部材コストの低減を図ることができるとともに、エレベータ装置の据付作業の手間を少なくすることができ、据付コストの低減及び据付作業時間の短縮も図ることができる。
【００３０】
なお、各上記実施の形態では、第２釣合おもり側シーブ１２のみが巻上機１０の駆動シーブとされているが、第１釣合おもり側シーブ８のみを巻上機の駆動シーブとしてもよい。この場合、巻上機は一方の支持部材６により支持される。また、第２釣合おもり側シーブ１２は、各第２主ロープ１４の移動により回転される。
【００３１】
また、各上記実施の形態では、他方の支持部材６に支持された１台の巻上機１０の駆動力のみにより、かご４及び釣合おもり５が昇降路１内を昇降されるようになっているが、一方及び他方の支持部材６のそれぞれに支持された２台の巻上機の駆動力により、かご４及び釣合おもり５を昇降させるようにしてもよい。この場合、各巻上機は、各上記実施の形態における巻上機１０と同様の構成とされる。また、第１釣合おもり側シーブ８が一方の巻上機の駆動シーブとされ、第２釣合おもり側シーブ１２が他方の巻上機の駆動シーブとされる。さらに、第１及び第２釣合おもり側シーブ８，１２は、同期して回転される。このようにすると、２台の巻上機の駆動力によりかご４及び釣合おもり５を昇降させることができ、各巻上機の小形化を図ることができる。
【００３２】
また、各上記実施の形態では、第２釣合おもり側シーブ１２のみが駆動装置本体１１により回転されるようになっているが、第１釣合おもり側シーブ８及び第２釣合おもり側シーブ１２が共通の駆動装置本体１１により回転されるようにしてもよい。このようにすると、かご４及び釣合おもり５を安定して昇降させることができるとともに、コストの低減及び昇降路１の縮小化をさらに図ることができる。
【００３３】
また、各上記実施の形態では、かご４及び釣合おもり５の吊り下げ方式が１：１ローピング方式とされているエレベータ装置にこの発明が適用されているが、かご４にかご吊り車を設け、釣合おもり５に釣合おもり吊り車を設けることにより、かご４及び釣合おもり５の吊り下げ方式が２：１ローピング方式とされたエレベータ装置にこの発明を適用してもよい。
【図面の簡単な説明】
【００３４】
【図１】この実施の形態１によるエレベータ装置を示す側面図である。
【図２】図１のエレベータ装置を示す平面図である。
【図３】この実施の形態２によるエレベータ装置を示す側面図である。
【図４】この実施の形態３によるエレベータ装置を示す側面図である。
【符号の説明】
【００３５】
１  昇降路、３，３１，４１  釣合おもりガイドレール、４  かご、５  釣合おもり、８  第１釣合おもり側シーブ（第１シーブ）、１０  巻上機（駆動装置）、１１  駆動装置本体、１２  第２釣合おもり側シーブ（第２シーブ）、１３  第１主ロープ、１４  第２主ロープ、１５  主ロープ体、１６  第１綱止め装置（第１ロープ接続部）、１７  第２綱止め装置（第２ロープ接続部）、１８，４２  レール溝。
【図１】
2006151625.tif 000003
【図２】
2006151625.tif 000004
【図３】
2006151625.tif 000005
【図４】
2006151625.tif 000006